(57)【要約】【課題】クリップがぐらついたり、クリップが筒体の周りを回転したりするおそれがないクリップ取付構造を提供する。【解決手段】クリップ２が、クリップ本体２２と、該クリップ本体２２の上端部に一体に連設した略円筒状の基部２３とを備える。頭冠３が、鍔部３１と、該鍔部３１の下方から一体に連設した円筒状の取付筒部３２とを備える。頭冠３の取付筒部３２をクリップ２の基部２３内に挿入する。頭冠３の取付筒部３２を円筒状の筒体１の上端開口部に挿着する。クリップ２の基部２３を、頭冠３の鍔部３１の下端と前記筒体１の上端とで上下に挟持する。クリップ２の基部２３から下方に係合片部２４を一体に連設する。係合片部２４を筒体１の上端開口部に挿入する。係合片部２４を、頭冠３の取付筒部３２の外面と筒体１の上端開口部の内面とで径方向に挟持する。【選択図】  図１
0003152084.tif 000002
【実用新案登録請求の範囲】
【請求項１】
クリップが、クリップ本体と、該クリップ本体の上端部に一体に連設した略円筒状の基部とを備え、頭冠が、鍔部と、該鍔部の下端から下方に一体に連設した円筒状の取付筒部とを備え、前記頭冠の取付筒部を、前記クリップの基部内に基部上方から基部下方に挿入するとともに、前記基部の下端から下方に突出する頭冠の取付筒部を、円筒状の筒体の上端開口部に挿着し、前記クリップの基部を、前記頭冠の鍔部の下端と前記筒体の上端とで上下に挟持してなるクリップ取付構造であって、前記クリップの基部から下方に係合片部を一体に連設し、前記係合片部を筒体の上端開口部に挿入し、前記係合片部を、頭冠の取付筒部の外面と筒体の上端開口部の内面とで径方向に挟持してなることを特徴とするクリップ取付構造。
【請求項２】
頭冠の取付筒部の外面または筒体の上端開口部の内面に凹部を形成し、前記凹部に係合片部を挿入し、前記凹部の周方向の幅と前記係合片部の周方向の幅とを略等しく設定してなる請求項１記載のクリップ取付構造。
【請求項３】
クリップの基部の上端面、クリップの基部の下端面、頭冠の鍔部の下端面、及び筒体の上端面の各々を、軸線に対して傾斜した傾斜面により構成し、前記クリップの基部の上端面の軸線に対する傾斜角度と、前記頭冠の鍔部の下端面の軸線に対する傾斜角度とを略一致させ、前記クリップの基部の下端面の軸線に対する傾斜角度と、前記筒体の上端面の軸線に対する傾斜角度とを略一致させてなる請求項１または２記載のクリップ取付構造。
【請求項４】
係合片部の外面と軸心との径方向の距離を、基部の外面と軸心との径方向の距離よりも小さく設定してなる請求項１、２または３記載のクリップ取付構造。
【請求項５】
クリップが、クリップ本体と、該クリップ本体の上端部に一体に連設した略円筒状の基部とを備え、頭冠が、鍔部と、該鍔部の下端から下方に一体に連設した円筒状の取付筒部とを備え、前記頭冠の取付筒部を、前記クリップの基部内に基部上方から基部下方に挿入するとともに、前記基部の下端から下方に突出する頭冠の取付筒部を、円筒状の筒体の上端開口部に挿着し、前記クリップの基部を、前記頭冠の鍔部の下端と前記筒体の上端とで上下に挟持してなるクリップ取付構造であって、クリップの基部の上端面、クリップの基部の下端面、頭冠の鍔部の下端面、及び筒体の上端面の各々を、軸線に対して傾斜した傾斜面により構成し、前記クリップの基部の上端面の軸線に対する傾斜角度と、前記頭冠の鍔部の下端面の軸線に対する傾斜角度とを略一致させ、前記クリップの基部の下端面の軸線に対する傾斜角度と、前記筒体の上端面の軸線に対する傾斜角度とを略一致させてなること特徴とするクリップ取付構造。
【考案の詳細な説明】
【技術分野】
【０００１】
本考案は、筆記具のクリップ取付構造に関する。詳細には、筒体（例えば、筆記具の軸筒、または筆記具のキャップ等）にクリップを固定させるクリップ取付構造に関する。
【背景技術】
【０００２】
従来この種のクリップ取付構造において、特許文献１には、装飾用の鍔部を有する固定筒（本願の頭冠に相当）がクリップの円環状の固着部（本願の基部に相当）に挿通されて軸筒（本願の筒体に相当）の尾端開口に嵌着され、クリップの円環状の固着部が固定筒の鍔部と軸筒の尾端縁で挟圧された筆記具が開示されている。
【０００３】
【特許文献１】実公平７−３２１１３号公報
【考案の開示】
【考案が解決しようとする課題】
【０００４】
前記特許文献１のクリップ取付構造は、固定筒の鍔部と軸筒の尾端縁による挟圧が弱いと、クリップがぐらついたり、クリップが筒体の周りを回転するおそれがある。
【０００５】
本考案は前記従来の問題点を解決するものであって、クリップがぐらついたり、クリップが筒体の周りを回転するおそれがないクリップ取付構造を提供しようとするものである。尚、本考案において、「上」とは筒体のクリップ取付側を指し、「下」とはその反対側を指す。
【課題を解決するための手段】
【０００６】
（構成１）
本考案は、クリップ２が、クリップ本体２２と、該クリップ本体２２の上端部に一体に連設した略円筒状の基部２３とを備え、頭冠３が、鍔部３１と、該鍔部３１の下端から下方に一体に連設した円筒状の取付筒部３２とを備え、前記頭冠３の取付筒部３２を、前記クリップ２の基部２３内に基部２３上方から基部２３下方に挿入するとともに、前記基部２３の下端から下方に突出する頭冠３の取付筒部３２を、円筒状の筒体１の上端開口部に挿着し、前記クリップ２の基部２３を、前記頭冠３の鍔部３１の下端と前記筒体１の上端とで上下に挟持してなるクリップ取付構造であって、前記クリップ２の基部２３から下方に係合片部２４を一体に連設し、前記係合片部２４を筒体１の上端開口部に挿入し、前記係合片部２４を、頭冠３の取付筒部３２の外面と筒体１の上端開口部の内面とで径方向に挟持してなること（構成１）を要件とする。
【０００７】
前記構成１のクリップ取付構造は、頭冠３の取付筒部３２の外面と筒体１の上端開口部の内面とで係合片部２４を径方向に挟持してなることにより、クリップ２の基部２３が筒体１に強固に固定されるため、クリップ２が筒体１に対してぐらついたり、クリップ２が筒体１の周りを回転するおそれがない。
【０００８】
尚、前記構成１のクリップ取付構造において、クリップ２の基部２３を頭冠３の取付筒部３２の外面に嵌着することが好ましい。それにより、頭冠３を筒体１に取り付ける前に、予めクリップ２の基部２３を頭冠３の取付筒部３２の外面に取り付けることができ、クリップ２の取付作業が容易となる。さらに、前記構成１のクリップ取付構造において、前記クリップ２の基部２３の一部を周方向（即ち図５で左右方向）に分割可能に構成することが好ましい。それにより、クリップ２の基部２３の径方向の変形が容易となり、基部２３を頭冠３の取付筒部３２の外面に容易に嵌着できる。
【０００９】
（構成２）
前記構成１のクリップ取付構造において、頭冠３の取付筒部３２の外面または筒体１の上端開口部の内面に凹部３２ｄを形成し、前記凹部３２ｄに係合片部２４を挿入し、前記凹部３２ｄの周方向の幅と前記係合片部２４の周方向の幅とを略等しく設定してなること（構成２）が好ましい。
【００１０】
前記構成２のクリップ取付構造は、クリップ２に周方向の力が加わっても、係合片部２４の周方向の端縁と凹部３２ｄの内壁とが係止され、係合片部２４の周方向の移動（即ち基部２３の周方向の移動）が規制され、より一層、クリップ２が筒体１に対してぐらついたり、クリップ２が筒体１の周りを回転することを防止できる。尚、前記凹部３２ｄの周方向の幅とは、横断面における凹部３２ｄの円弧状内面の周方向の長さをいう。前記係合片部２４の周方向の幅とは、横断面における係合片部２４の円弧状内面の周方向の長さをいう。
【００１１】
（構成３）
前記構成１または２のクリップ取付構造において、クリップ２の基部２３の上端面２３ａ、クリップ２の基部２３の下端面２３ｂ、頭冠３の鍔部３１の下端面、及び筒体１の上端面１１の各々を、軸線に対して傾斜した傾斜面により構成し、前記クリップ２の基部２３の上端面２３ａの軸線に対する傾斜角度と、前記頭冠３の鍔部３１の下端面３１ａの軸線に対する傾斜角度とを略一致させ、前記クリップ２の基部２３の下端面２３ｂの軸線に対する傾斜角度と、前記筒体１の上端面１１の軸線に対する傾斜角度とを略一致させてなること（構成３）が好ましい。
【００１２】
前記構成３のクリップ取付構造は、クリップ２の取付状態において、クリップ２の基部２３の傾斜面よりなる上端面２３ａと頭冠３の鍔部３１の傾斜面よりなる下端面３１ａとが当接するとともに、クリップ２の基部２３の傾斜面よりなる下端面２３ｂと筒体１の傾斜面よりなる上端面１１とが当接するため、クリップ２に周方向の力が加わっても、クリップ２の基部２３が筒体１に対してぐらついたり、筒体１の周りを回転することを、より一層、防止できる。
【００１３】
（構成４）
前記構成１乃至３のクリップ取付構造において、係合片部２４の外面と軸心との径方向の距離を、基部２３の外面と軸心との径方向の距離よりも小さく設定してなること（構成４）が好ましい。
【００１４】
前記構成４のクリップ取付構造は、係合片部２４を筒体１の上端開口部に確実に挿入させることができ、且つ、筒体１の上端とクリップ２の基部２３とを確実に当接させることができる。尚、前記係合片部２４の外面と軸心との径方向の距離とは、横断面において係合片部２４の円弧状の外面に沿う仮想円の半径をいう。前記基部２３の外面と軸心との径方向の距離とは、横断面において基部２３の円形状の外面の半径をいう。尚、前記係合片部２４の外面とは、係合片部２４において、筒体１の上端開口部の内面に接触する面をいう。尚、前記軸心とは、クリップ取付状態における筒体１の軸心をいう。
【００１５】
（構成５）
また、本考案は、クリップ２が、クリップ本体２２と、該クリップ本体２２の上端部に一体に連設した略円筒状の基部２３とを備え、頭冠３が、鍔部３１と、該鍔部３１の下端から下方に一体に連設した円筒状の取付筒部３２とを備え、前記頭冠３の取付筒部３２を、前記クリップ２の基部２３内に基部２３上方から基部２３下方に挿入するとともに、前記基部２３の下端から下方に突出する頭冠３の取付筒部３２を、円筒状の筒体１の上端開口部に挿着し、前記クリップ２の基部２３を、前記頭冠３の鍔部３１の下端と前記筒体１の上端とで上下に挟持してなるクリップ取付構造であって、クリップ２の基部２３の上端面２３ａ、クリップ２の基部２３の下端面２３ｂ、頭冠３の鍔部３１の下端面３１ａ、及び筒体１の上端面１１の各々を、軸線に対して傾斜した傾斜面により構成し、前記クリップ２の基部２３の上端面２３ａの軸線に対する傾斜角度と、前記頭冠３の鍔部３１の下端面３１ａの軸線に対する傾斜角度とを略一致させ、前記クリップ２の基部２３の下端面２３ｂの軸線に対する傾斜角度と、前記筒体１の上端面１１の軸線に対する傾斜角度とを略一致させてなること（構成５）を要件とする。
【００１６】
前記構成５のクリップ取付構造は、クリップ２の取付状態において、クリップ２の基部２３の傾斜面よりなる上端面２３ａと頭冠３の鍔部３１の傾斜面よりなる下端面３１ａとが当接するとともに、クリップ２の基部２３の傾斜面よりなる下端面２３ｂと筒体１の傾斜面よりなる上端面１１とが当接するため、クリップ２に周方向の力が加わっても、クリップ２の基部２３が筒体１に対してぐらついたり、筒体１の周りを回転することを十分に防止できる。
【考案の効果】
【００１７】
本考案は構成１により、クリップの基部が筒体に強固に固定されるため、クリップが筒体に対してぐらついたり、クリップが筒体の周りを回転するおそれがない。
【００１８】
本考案は構成２により、より一層、クリップが筒体に対してぐらついたり、クリップが筒体の周りを回転することを防止できる。
【００１９】
本考案は構成３により、クリップの基部が筒体に対して回転することを、より一層、防止できる。
【００２０】
本考案は構成４により、係合片部を筒体の上端開口部に確実に挿入させることができ、且つ、筒体の上端とクリップの基部とを確実に当接させることができる。
【００２１】
本考案は構成５により、クリップの基部が筒体に対して回転することを十分に防止できる。
【考案を実施するための最良の形態】
【００２２】
図１乃至図７に本考案のクリップ取付構造の実施の形態を示す。本実施の形態のクリップ取付構造は、筒体１と、クリップ２と、頭冠３とからなる。
【００２３】
・筒体
前記筒体１は、上端に開口部を備えた円筒体からなる。前記筒体１は、金属製または合成樹脂により構成される。前記筒体１の上端面１１は、軸線に対して傾斜した傾斜面（傾斜カット面）よりなる。前記筒体１の内面には、環状に内向突起１２が形成される。
【００２４】
前記筒体１は、例えば、筆記具の軸筒または筆記具のキャップが挙げられる。前記筒体１が、軸筒の場合、軸筒の下端にペン先を備える。さらに、前記軸筒をノック式筆記具に用いる場合、該軸筒の下端よりペン先が出没可能に構成されるとともに、該軸筒の上端よりノック操作部が突出される。この場合、頭冠３の上端面には、ノック操作部を頭冠３内部から外部に突出可能にさせる孔が開口される。また、前記筒体１が筆記具のキャップの場合、該筒体１の下端がキャップ開口側となり、該筒体１の上端がキャップ閉塞側となる。
【００２５】
・クリップ
前記クリップ２は、金属板を折り曲げ加工することにより得られ、玉部２１、クリップ本体２２、基部２３、及び係合片部２４が一体に連設される。詳細には、前記クリップ本体２２の下端には玉部２１が一体に形成され、前記クリップ本体２２の上端には上下方向に延びる略円筒状の基部２３が一体に形成される。前記玉部２１が、筒体１の外面と被挟持物を挟持する。さらに、前記基部２３の下端には、略半円筒状の係合片部２４が一体に形成される。
【００２６】
・基部
前記基部２３は、略円筒状に形成され、軸方向に内孔が貫設される。前記基部２３の上端面２３ａ及び前記基部２３の下端面２３ｂは、軸線に対して傾斜した傾斜面（傾斜カット面）からなる。
【００２７】
前記各々の傾斜面の下端は、クリップ本体２２側に配置され、前記各々の傾斜面の上端は、クリップ本体２２の反対側に配置される。それにより、クリップ本体２２と円筒状の基部２３との連続した滑らかな輪郭線による優れた外観性を得る。
【００２８】
前記基部２３の下端面２３ｂの軸線に対する傾斜角度と、前記筒体１の上端面１１の軸線に対する傾斜角度とが略等しく設定される。それにより、基部２３の下端面２３ｂと筒体１の上端面１１との間に隙間が無くなり、優れた外観性を得ると同時に、基部２３の下端面２３ｂと筒体１の上端面１１との安定した当接状態を得る。
【００２９】
前記基部２３の外径は、筒体１の内径よりも大きく設定される。それにより、基部２３が筒体１の上端開口部に挿入されることを阻止できる。前記基部２３の内径は、筒体１の外径よりも小さく設定される。それにより、筒体１の上端部が基部２３内に挿入されることを阻止できる。基部２３の下端面２３ｂと筒体１の上端面１１との適正な当接が可能となる。前記基部２３の、クリップ本体２２の反対側には軸方向に延びる切り欠き２５が貫設され、前記切り欠き２５により、基部２３が周方向に分割される。
【００３０】
・係合片部
前記係合片部２４は、基部２３のクリップ本体２２の反対側の部分に、基部２３の下端から下方に突出するように形成される。また、前記係合片部２４は、横断面において半円弧状となり、前記係合片部２４の外面と軸心との径方向の距離が、基部２３外面と軸心との径方向の距離よりも小さく設定される。さらに、前記係合片部２４と前記基部２３の下端とは段部２６を介して接続される。前記段部２６は、基部２３の下端面２３ｂの一部を構成し、前記段部２６により、筒体１の上端面１１と安定した当接状態を得る。
【００３１】
前記係合片部２４は、筒体１の上端開口部に挿入される。前記軸方向に延びる切り欠き２５は、係合片部２４も軸方向に貫通し、前記切り欠き２５により、係合片部２４が周方向に分割される。
【００３２】
・頭冠
前記頭冠３は、合成樹脂の成形体からなり、鍔部３１と、該鍔部３１の下端から下方に突出する円筒状の取付筒部３２とが一体に連設される。
【００３３】
・鍔部
前記鍔部３１の外径は、クリップ２の基部２３の内径より大きく設定される。それにより、鍔部３１が基部２３内に挿入されることを阻止でき、鍔部３１の下端面とクリップ２の基部２３の上端面との適正な当接が可能となる。前記鍔部３１の下端面３１ａは、軸線に対して傾斜した傾斜面（傾斜カット面）よりなる。前記鍔部３１の下端面３１ａの軸線に対する傾斜角度と、前記基部２３の上端面２３ａの軸線に対する傾斜角度とが略等しく設定される。それにより、鍔部３１の下端面３１ａと基部２３の上端面２３ａとの間に隙間が無くなり、優れた外観性を得ると同時に、鍔部３１の下端面３１ａと基部２３の上端面２３ａとの安定した当接状態を得る。
【００３４】
・取付筒部
前記取付筒部３２の上端部の外周面には、複数本（具体的には４本）の軸方向のリブ３２ａが等間隔に一体に形成される。前記リブ３２ａの各々の外面とクリップ２の基部２３の内面とが嵌着される。即ち前記リブ３２ａがクリップ２の基部２３の取付箇所となる。前記リブ３２ａにより、基部２３の内面と部分的な嵌合が可能となり、嵌着時の過大な圧入力を必要とせず、スムーズな嵌着が可能となる。
【００３５】
前記取付筒部３２のクリップ本体２２の反対側の半周面には、凹部３２ｄが形成される。前記取付筒部３２をクリップ２の基部２３内に挿入し、取付筒部３２の上端部の外周面にクリップ２の基部２３を嵌着した際、前記凹部３２ｄにクリップ２の係合片部２４が挿入される。前記凹部３２ｄの周方向の幅は、係合片部２４の周方向の幅と略等しく設定される。
【００３６】
前記取付筒部３２の下端部の外周面には、外向突起３２ｂが形成される。前記頭冠３の取付筒部３２を筒体１の上端開口部に挿入した際、前記外向突起３２ｂと筒体１の内向突起１２とが乗り越え係止される。それにより、筒体１の上端開口部から頭冠３が脱落することを防止できる。さらに、前記内向突起１２の係合面及び外向突起３２ｂの係合面は軸線に対して略垂直面となっており、それにより、筒体１の上端開口部から頭冠３が抜け落ちることを確実に阻止できる。
【００３７】
前記取付筒部３２の下端部の外周面には、軸方向の切り欠き状の溝３２ｃが２本形成される。それにより、前記取付筒部３２の下端部周壁が径方向のバネ性を得ることができ、外向突起３２ｂと内向突起１２との乗り越え係止の際、取付筒部３２の容易な挿入が可能となる。
【００３８】
・クリップの取り付け
クリップ２の基部２３内部に基部２３の上端開口部より頭冠３の取付筒部３２を挿通し、クリップ２の基部２３内面を頭冠３の取付筒部３２外面のリブ３２ａに嵌着させると同時に、クリップ２の係合片部２４を取付筒部３２の凹部３２ｄに挿入させる。そして、前記クリップ２の基部２３が取付状態にある頭冠３の取付筒部３２を、筒体１の上端開口部に挿着し、取付筒部３２の外向突起３２ｂと筒体１の内向突起１２とを乗り越え係止させる。このとき、クリップ２の基部２３の上端面２３ａが頭冠３の鍔部３１の下端面３１ａに当接されるとともにクリップ２の基部２３の下端面２３ｂが筒体１の上端面１１に当接される。それにより、クリップ２の基部２３が鍔部３１の下端面３１ａと筒体１の上端面１１とで上下に挟持される。さらに、このとき、前記係合片部２４が、頭冠３の取付筒部３２外面と筒体１の上端開口部内面とで径方向に挟持される。
【００３９】
本実施の形態において、頭冠３の鍔部３１の下端の外径とクリップ２の基部２３の上端の外径とは略一致する。また、本実施の形態において、クリップ２の基部２３の下端の外径と筒体１の上端の外径とは、クリップ本体２２の反対側の半周部分において、略一致する。それにより、頭冠３の鍔部３１と、クリップ２の基部２３と、筒体１との一体感のある優れた外観を得る。
【図面の簡単な説明】
【００４０】
【図１】本考案の実施の形態を示す縦断面図である。
【図２】図１のＡ−Ａ線断面図である。
【図３】図１のクリップの正面図である。
【図４】図１のクリップの側面図である。
【図５】図１のクリップの背面図である。
【図６】図１の頭冠の正面図である。二点鎖線は取付状態のクリップを示す。
【図７】図１の頭冠の側面図である。二点鎖線は取付状態のクリップを示す。
【符号の説明】
【００４１】
１  筒体
１１  上端面
１２  内向突起
２  クリップ
２１  玉部
２２  クリップ本体
２３  基部
２３ａ  上端面
２３ｂ  下端面
２４  係合片部
２５  切り欠き
２６  段部
３  頭冠
３１  鍔部
３１ａ  下端面
３２  取付筒部
３２ａ  リブ
３２ｂ  外向突起
３２ｃ  溝
３２ｄ  凹部
【図１】
0003152084.tif 000003
【図２】
0003152084.tif 000004
【図３】
0003152084.tif 000005
【図４】
0003152084.tif 000006
【図５】
0003152084.tif 000007
【図６】
0003152084.tif 000008
【図７】
0003152084.tif 000009